(57)【要約】【課題】滅菌に用いた過酸化水素がチャック部材中に残留することを安価に防止することが可能なチャック付き包装袋及びその製造方法を提供することを課題とする。【解決手段】対向する一対のフィルムの外周縁をシールしてなる包装袋と、前記包装袋の内面に具備されたチャック部材と、を有し、前記チャック部材は、嵌合部と、前記嵌合部と連接した一対の取付基部と、前記一対の取付基部の間をつなぐ連接部と、前記第一取付基部から前記連接部とは反対側に延長連接した延長部と、を有し、前記チャック部材は前記連接部の略中央で前記嵌合部が内方となるように折り曲げられていて、前記延長部の先端部は前記第二取付基部が固定されている側の前記包装袋の内面に剥離可能に接着されていることを特徴とするチャック付き包装袋。【選択図】図２
2017218173.tif 000002
【特許請求の範囲】
【請求項１】
対向する一対のフィルムの外周縁をシールしてなる包装袋と、前記包装袋の内面に具備されたチャック部材と、を有し、
前記チャック部材は、雄部材及び雌部材からなる嵌合部と、前記嵌合部と連接した第一取付基部及び第二取付基部からなる一対の取付基部と、前記一対の取付基部の間をつなぐ連接部と、前記第一取付基部から前記連接部とは反対側に延長連接した延長部と、を有し、前記チャック部材は前記連接部の略中央で前記嵌合部が内方となるように折り曲げられていて、
前記延長部の先端部は前記第二取付基部が固定されている側の前記包装袋の内面に剥離可能に接着され、
前記包装袋の前記外周縁のシール部よりも内方で、かつ、前記連接部と重なる位置の前記一対のフィルムには開封予定線が設けられ、
前記連接部のうち前記開封予定線と重なる部位には凹部が設けられていることを特徴とするチャック付き包装袋。
【請求項２】
対向する一対のフィルムと、チャック部材と、を有し、
前記チャック部材は、雄部材及び雌部材からなる嵌合部と、前記嵌合部と連接した第一取付基部及び第二取付基部からなる一対の取付基部と、前記一対の取付基部の間をつなぐ連接部と、前記第一取付基部から前記連接部とは反対側に延長連接した延長部と、を有し、前記チャック部材を前記連接部の略中央で前記嵌合部が内方となるように折り曲げるチャック部材折り曲げ工程と、
前記一対のフィルムのうちの一方のフィルムの内面に、前記チャック部材の前記第二取付基部及び前記延長部を接着するチャック部材接着工程と、
前記チャック部材を接着した前記一方のフィルム及びもう一方のフィルムの滅菌を行う滅菌処理工程と、
前記チャック部材を装着した前記一方のフィルムともう一方のフィルムとを貼り合わせて製袋する製袋工程と、
を含み、
前記チャック部材接着工程は、前記チャック部材の前記第二取付基部の前記嵌合部とは反対側の面を前記フィルムの内面に固着する第二取付基部固着工程と、
前記延長部の前記第二取付基部と対向する面を、前記第二取付基部を固着した前記フィルムの同一面上に剥離可能に接着する延長部接着工程と、
を含むことを特徴とするチャック付き包装袋の製造方法。
【発明の詳細な説明】
【技術分野】
【０００１】
本発明はチャック付き包装袋及びその製造方法に関する。
【背景技術】
【０００２】
病院等において患者に栄養剤や医薬品等の流動食を投与する際、胃や腸に挿入したチューブを通して袋に入った流動食を投与することがある。このような流動食の投与に際しては、予め当該袋に収納されていた内容物の濃度調整等が行われる場合がある。このため、当該袋の上部には開口部を設けて、当該開口部から希釈液等を注入することにより内容物の濃度調整を可能とした包装袋が提案されてきた（例えば、特許文献１）。
【０００３】
特許文献１のような包装袋においては、当該包装袋の下方に供給チューブを接続する注出口を具備し、上方には開口部と当該開口部を再封止するチャック部材とが具備されている。
【０００４】
ところで、長期保存性を高める場合や、栄養剤や医薬品等の人体内に投与されるものを内容物とする場合は特に、包装袋及び内容物が無菌状態であることが求められる。
無菌状態を得る方法として、内容物を包装袋に充填密封した後に加圧加熱滅菌する方法がある。
しかし、この加圧加熱滅菌においては、内容物の中心部まで充分に滅菌するために外側部分の内容物には過度の熱処理が行われることとなり、その結果、内容物の変質により栄養分が低減したり吸収されにくくなったりするという問題があった。
【０００５】
そこで、このような過度の熱処理を行わずに充分な無菌状態を得る方法として、無菌充填方法が採用されてきた。無菌充填方法とは、内容物と包装袋を別々に各々滅菌処理した後、無菌雰囲気中で包装袋に内容物を充填し密封シールする方法である。
このような無菌充填方法における包装袋の滅菌は、過酸化水素水へ浸漬させたり過酸化水素ガスの雰囲気中を通したりすることにより行われ、その後、包装袋に残留した過酸化水素を除去している。
【０００６】
しかし、栄養剤や医薬品等の流動食を投与する特許文献１のようなチャック付き包装袋に対して無菌充填方法による滅菌処理を行うと、チャック部材の嵌合部に過酸化水素が残留してしまうことが多くある。当該嵌合部に残留した過酸化水素を完全に除去することは難しく、過酸化水素を充分に除去するためには多くの時間が必要となり製造コストが上昇してしまうという問題があった。
【先行技術文献】
【特許文献】
【０００７】
【特許文献１】特許第５００３０３７号公報
【発明の概要】
【発明が解決しようとする課題】
【０００８】
本発明は上記のような事情に鑑みてなされたもので、滅菌に用いた過酸化水素がチャック部材中に残留することを安価に防止することが可能なチャック付き包装袋及びその製造方法を提供することを課題とする。
【課題を解決するための手段】
【０００９】
本発明は係る課題に鑑みなされたものであり、本発明のチャック付き包装袋は、対向す
る一対のフィルムの外周縁をシールしてなる包装袋と、前記包装袋の内面に具備されたチャック部材と、を有し、前記チャック部材は、雄部材及び雌部材からなる嵌合部と、前記嵌合部と連接した第一取付基部及び第二取付基部からなる一対の取付基部と、前記一対の取付基部の間をつなぐ連接部と、前記第一取付基部から前記連接部とは反対側に延長連接した延長部と、を有し、前記チャック部材は前記連接部の略中央で前記嵌合部が内方となるように折り曲げられていて、前記延長部の先端部は前記第二取付基部が固定されている側の前記包装袋の内面に剥離可能に接着され、前記包装袋の前記外周縁のシール部よりも内方で、かつ、前記連接部と重なる位置の前記一対のフィルムには開封予定線が設けられ、前記連接部のうち前記開封予定線と重なる部位には凹部が設けられていることを特徴とする。
【００１０】
また、本発明のチャック付き包装袋の製造方法は、対向する一対のフィルムと、チャック部材と、を有し、前記チャック部材は、雄部材及び雌部材からなる嵌合部と、前記嵌合部と連接した第一取付基部及び第二取付基部からなる一対の取付基部と、前記一対の取付基部の間をつなぐ連接部と、前記第一取付基部から前記連接部とは反対側に延長連接した延長部と、を有し、前記チャック部材を前記連接部の略中央で前記嵌合部が内方となるように折り曲げるチャック部材折り曲げ工程と、前記一対のフィルムのうちの一方のフィルムの内面に、前記チャック部材の前記第二取付基部及び前記延長部を接着するチャック部材接着工程と、前記チャック部材を接着した前記一方のフィルム及びもう一方のフィルムの滅菌を行う滅菌処理工程と、前記チャック部材を装着した前記一方のフィルムともう一方のフィルムとを貼り合わせて製袋する製袋工程と、を含み、前記チャック部材接着工程は、前記チャック部材の前記第二取付基部の前記嵌合部とは反対側の面を前記フィルムの内面に固着する第二取付基部固着工程と、前記延長部の前記第二取付基部と対向する面を、前記第二取付基部を固着した前記フィルムの同一面上に剥離可能に接着する延長部接着工程と、を含むことを特徴とする。
【発明の効果】
【００１１】
本発明のチャック付き包装袋は、チャック部材が嵌合部を内方にして折り曲げられた状態で前記チャック部材の両側端部である第二取付基部と第一取付基部から連接された延長部とを同一フィルムの内面に接着した構造とすることにより、前記嵌合部が外方にさらされることが無いので、滅菌処理時に過酸化水素が前記嵌合部に付着したり残留したりする虞が無い。
【００１２】
また、本発明のチャック付き包装袋の製造方法によれば、嵌合部を内方にして折り曲げたチャック部材の両側端部である第二取付基部と第一取付基部から連接された延長部とを同一フィルムの内面に接着するチャック部材接着工程の後に滅菌処理工程を行い、その後に一対のフィルムを張り合わせて製袋する製袋工程を行うことにより、前記嵌合部が外方にさらされない状態で滅菌処理が行われるため、滅菌処理に用いる過酸化水素が前記嵌合部に付着したり残留したりする虞が無い。
【００１３】
このように本発明によれば、チャック部材を嵌合部を内方に折り曲げて前記チャック部材の両側端を同一面に接着し、その後滅菌処理する、という簡素な構造及び工程とすることにより、滅菌に用いた過酸化水素がチャック部材中に残留することを安価に防止することが可能となる。
【図面の簡単な説明】
【００１４】
【図１】本発明のチャック付き包装袋の実施形態を模式的に示した説明図である。
【図２】図１のＡ−Ａ断面を模式的に示した断面説明図である。
【図３】本発明により製造されるチャック付き包装袋において、チャック部材を一方のフィルムの内面に接着したチャック部材接着工程後の状態を図２と同じ範囲で模式的に示した断面説明図である。
【発明を実施するための形態】
【００１５】
以下、本発明を実施するための実施形態につき図面を参照して説明する。
【００１６】
本発明により製造されるチャック付き包装袋１は、図１に示すように、表面側フィルム２及び裏面側フィルム３の対向する一対のフィルムの外周縁をシールしてシール部６を形成した包装袋の内面にチャック部材４を具備してなる。また、本実施形態においては、チャック付き包装袋１のシール部６の下端略中央に口栓部材１０を装着している。
また、シール部６のうち、上方シール部６０の一部を上方外周縁シール部６２よりも広幅にシールした幅広シール部６１とし、幅広シール部６１には吊下げ孔９を有する。
【００１７】
吊下げ孔９は、幅広シール部６１内に形成されており、開封予定線５及びチャック部材４よりも下方に位置している。吊下げ孔９にフック等を挿通させることにより、チャック付き包装袋１を吊下げて使用することが可能となる。このとき、チャック付き包装袋１を吊下げた状態においては、口栓部材１０がチャック付き包装袋１の下端に位置し、かつ、口栓部材１０の中空部分が垂直になっていることが好ましいため、口栓部材１０及び吊下げ孔９が形成される位置は左右方向で略同一であることが好ましい。
【００１８】
また、上方外周縁シール部６２よりも下方の表面側フィルム２及び裏面側フィルム３には、チャック付き包装袋１を開口するための開封予定線５が設けられ、開封予定線５とチャック付き包装袋１の側端が重なる位置にはノッチ７が設けられている。
【００１９】
表面側フィルム２及び裏面側フィルム３の材質は特に限定されないが、基材層２１、３１とシーラント層２２、３２とが積層された積層フィルムが好ましく用いられる。基材層２１、３１としては、通常の軟包装袋で表面基材として用いられるものであれば良く、ナイロン、ポリエチレンテレフタレート、ポリプロピレン等の樹脂の２軸延伸、１軸延伸、あるいは未延伸のフィルムが好ましく使用できる。
【００２０】
基材層２１、３１は必要に応じて多層構造としても良い。
多層の基材層２１、３１としては、外層側から、ポリエチレンテレフタレート／ナイロン、ナイロン／ポリエチレンテレフタレート、ナイロン／無機酸化物蒸着ポリエチレンテレフタレート、ナイロン／エチレンビニルアルコール共重合体、等の積層フィルムを用いることができる。また、蒸着に用いる無機酸化物としては、酸化アルミニウム、酸化珪素、酸化マグネシウム等が好適に使用される。この他、印刷層や接着剤層を含めた構造としても良い。
なお、基材層２１、３１全体の厚さは１２μｍ〜５０μｍ程度が好ましい。
【００２１】
シーラント層２２、３２は、通常の軟包装袋でシーラント層として用いられるものであれば良い。ポリオレフィン系樹脂が一般的に使用され、具体的には、低密度ポリエチレン樹脂、中密度ポリエチレン樹脂、直鎖状低密度ポリエチレン樹脂、エチレン・酢酸ビニル共重合体、エチレン・αオレフィン共重合体などのエチレン系樹脂や、ホモポリプロピレン樹脂、プロピレン・エチレンランダム共重合体、プロピレン・エチレンブロック共重合体、プロピレン・αオレフィン共重合体などのポリプロピレン系樹脂などが使用される。またこれらの樹脂を複合した多層フィルムが使用されることもある。
なお、シーラント層２２、３２の厚さは、チャック付き包装袋１に収容する内容物の材質や量によって調整されるものであるが、５０μｍ〜１８０μｍ程度が好ましい。
【００２２】
また、基材層２１、３１とシーラント層２２、３２の間に、中間層としてガスバリア性能を有する層を追加しても良い。一例を挙げれば、ポリ塩化ビニリデンフィルム、ポリビ
ニルアルコールフィルム、エチレンビニルアルコール共重合体フィルム、ガスバリア性ナイロンフィルム、ガスバリア性ＰＥＴフィルム等のガスバリア性フィルムや、ＰＥＴフィルム等にアルミニウム等の金属を蒸着した金属蒸着フィルムや、ＰＥＴフィルムに酸化アルミニウム、酸化珪素、若しくは酸化マグネシウム等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層、あるいはアルミニウム箔等の金属箔等が使用される。
【００２３】
表面側フィルム２及び裏面側フィルム３からなる一対のフィルムの形状は特に限定されず、図１のように下方の横幅が狭くなった略五角形状としても良いし、下端に至るまで横幅が一定な矩形状としても良い。本実施形態においては、チャック付き包装袋１のシール部６の下端略中央に口栓部材１０を装着し、口栓部材１０に向かって横幅が狭くなるように形成されている。このような構成とすることにより、内容物を口栓部材１０から効率よく注出することが可能となる。
【００２４】
チャック付き包装袋１のチャック部材４は、チャック付き包装袋１の幅方向全体に略同一の断面形状で延びる部材であり、表面側フィルム２及び裏面側フィルム３の内面であるシーラント層２２、３２に固着される。チャック部材４は、雄部材４０１及び雌部材４０２からなる嵌合部４０と、雄部材４０１と連接してシーラント層２２と固着される第一取付基部４１１及び雌部材４０２と連接してシーラント層３２と固着される第二取付基部４１２からなる一対の取付基部４１と、一対の取付基部４１の間をつなぐ連接部４２と、第一取付基部４１１から連接部４２とは反対側に延長連接した延長部４３と、を有する。また、チャック部材４は、連接部４２の略中央で嵌合部４０が内方となるように折り曲げられていて、延長部４３の先端部は第二取付基部４１２が固定されている側のシーラント層３２に易剥離部４５を介して剥離可能に接着される。
【００２５】
チャック部材４の材質は、シーラント層２２、３２に融着可能な樹脂であれば良く、例えば、シーラント層２２、３２に低密度ポリエチレン樹脂や直鎖状低密度ポリエチレン樹脂を用いた場合には、チャック部材４にはポリエチレン系樹脂を用いて押出成型により連続して製造することができる。
【００２６】
易剥離部４５は、凝集破壊タイプ若しくは層間剥離タイプのフィルムが使用される。
凝集破壊タイプは、易剥離部４５自体が凝集破壊するものであり、ポリプロピレン、ポリエチレン、ポリブテン、ポリスチレンなどの樹脂を混合した樹脂が使用される。特には、ポリエチレン、高密度ポリエチレン、直鎖状低密度ポリエチレン、ポリプロピレン等のポリオレフィン系樹脂とポリブテン系樹脂とを混合した樹脂やポリオレフィン系樹脂とポリスチレン系樹脂を混合した樹脂等が好適に使用される。
また、層間剥離タイプは共押出法にて３層フィルムを作成し、中間層から剥離するものであり、当該３層フィルムを延長部４３に積層して使用される。
【００２７】
また、チャック部材４のうち、折り曲げられた連接部４２は２箇所で開封予定線５と重なる。この開封予定線５と重なる位置の連接部４２の２箇所には凹部４４が設けられる。凹部４４は連接部４２の一部を薄肉とすることにより形成され、その断面形状は特に限定されない。例えば、図２、３に示すような略長方形状としても良いし、一つの角部を有するＶ字形状や角部を有さないＵ字形状、半円形状を含めた曲線形状、波形状、複数の山部を有するジグザグ形状等であっても良い。
【００２８】
チャック部材４は、少なくとも上方外周縁シール部６２と幅広シール部６１と側端のシール部６に囲まれた領域に設けられていれば良いが、製造工程の簡略化のためには図１に示すようにチャック付き包装袋１の横幅全面に亘って設けられることが好ましい。
なお、チャック部材４を横幅全面に亘って設けた場合であっても、幅広シール部６１を含めたシール部６と重なる領域のチャック部材４は、シールする際に潰されるため、開封及び再封止する機能を有さない。
【００２９】
なお、本実施形態においては、雄部材４０１側の第一取付基部４１１の先端を延長して、第二取付基部４１２と第一取付基部の延長部４３とを裏面側フィルム３のシーラント層３２に接着しているが、チャック部材の両側端を同一面に接着する構成であれば良く、例えば、雌部材４０２側の第二取付基部４１２の先端を延長して、第一取付基部４１１と第二取付基部の延長部４３とを表面側フィルム２のシーラント層２２に接着するのであっても良い。
【００３０】
また、開封予定線５は、チャック付き包装袋１の所定位置を容易に切り裂いて開口することが可能になるように設けられるものであり、その形成方法は炭酸ガスレーザーを用いたハーフカット法等の公知の方法が適用される。
【００３１】
本実施形態の幅広シール部６１には、上方外周縁シール部６２の外側の縁部から下方に延びる切れ目線８が形成されている。切れ目線８の下端は、開封予定線５よりも下方まで延びるが、幅広シール部６１の内側の縁部には到達しない。すなわち、幅広シール部６１の領域内に切れ目線８の下端が位置する。切れ目線８は、例えばミシン目等のように幅広シール部６１を貫通する複数の小孔や長孔を切れ目線８が延びる方向に間隔を開けて配列して構成される。切れ目線８が形成されていることにより、図１において左端に設けられているノッチ７から開封予定線５に沿ってチャック付き包装袋１を開封しても、幅広シール部６１のうち切れ目線８よりも右側の部分は引き裂かれる虞が無い。よって、幅広シール部６１内に設けられた吊下げ孔９に引き裂きが及んでしまい、チャック付き包装袋１が吊下げられなくなるといった不具合は生じない。
【００３２】
チャック付き包装袋１を開封する際には、ノッチ７から開封予定線５に沿って開封し、切れ目線８に到達した後、切れ目線８に沿って上方に切り取ることにより、開封予定線５と切れ目線８とによって囲まれた部分を切除して開口することが可能となる。
このとき、チャック部材４も開封予定線５と重なる凹部４４にて切り取られ、凹部４４より上方の連接部４２が切除される。これにより、凹部４４より下方の嵌合部４０を開閉することにより開封及び再封止することが可能となる。
【００３３】
次に、上記の各部材を用いたチャック付き包装袋１の製造方法について説明する。
【００３４】
まず、表面側フィルム２及び裏面側フィルム３を用意する。
表面側フィルム２及び裏面側フィルム３は、基材層２１、３１及びシーラント層２２、３２を有する。基材層２１、３１とシーラント層２２、３２の貼り合わせには公知の方法が適用可能であり、ドライラミネート法やサンドイッチラミネート法、押出ラミネート法等が好適に使用される。
【００３５】
次に、チャック部材４を用意する。チャック部材４は、雄部材４０１及び雌部材４０２からなる嵌合部４０と、雄部材４０１と連接してシーラント層２２と固着される第一取付基部４１１及び雌部材４０２と連接してシーラント層３２と固着される第二取付基部４１２からなる一対の取付基部４１と、一対の取付基部４１の間をつなぐ連接部４２と、第一取付基部４１１から連接部４２とは反対側に延長連接した延長部４３と、を有し、連接部４２内の２箇所に凹部４４を有する。
このチャック部材４を、２つの凹部が対向する位置になるように、連接部４２の略中央で嵌合部４０を内方にして折り曲げる（チャック部材折り曲げ工程）。
【００３６】
次に、図３で示すように、裏面側フィルム３のシーラント層３２に折り曲げたチャック部材４の第二取付基部４１２及び延長部４３を接着する（チャック部材接着工程）。
前記チャック部材接着工程は、チャック部材４の第二取付基部４１２の嵌合部４０とは反対側の面をシーラント層３２に固着する第二取付基部固着工程と、延長部４３の第二取付基部４１２と対向する面を、第二取付基部４１２を固着したシーラント層３２の同一面上に剥離可能に接着する延長部接着工程と、を含む。
また、前記延長部接着工程において、延長部４３は第二取付基部４１２よりも下方のシーラント層３２に易剥離部４５を介して剥離可能に接着される。
【００３７】
前記チャック部材接着工程が完了した段階においては、図３に示すように裏面側フィルム３のシーラント層３２に嵌合部４０を内方にして折り曲げられたチャック部材４の両端が接着されている。これにより、嵌合部４０が外方にさらされることが無い。
【００３８】
その後、チャック部材４を接着した裏面側フィルム３及び表面側フィルム２の滅菌を行う（滅菌処理工程）。
前記滅菌処理工程は、チャック部材４を接着した裏面側フィルム３及び表面側フィルム２を過酸化水素水に浸漬あるいは過酸化水素ガス雰囲気中に曝すことにより滅菌する。
【００３９】
前記滅菌処理工程においては、嵌合部４０が外方にさらされない状態で滅菌処理が行われるため、滅菌処理に用いる過酸化水素が嵌合部４０に付着したり残留したりする虞が無い。
また、前記滅菌処理工程と平行して、チャック付き包装袋１の中に収容する内容物の滅菌処理も行われる。
【００４０】
次に、チャック部材４を接着した裏面側フィルム３と表面側フィルム２との外周縁を貼り合わせて製袋する（製袋工程）。
図１に示すような口栓部材１０を装着する場合には、前記製袋工程における貼り合わせ時に、表面側フィルム２と裏面側フィルム３の間に口栓部材１０を挟み込むことにより装着する。ここで、口栓部材１０も過酸化水素水に浸漬あるいは過酸化水素ガス雰囲気中に曝すことにより事前に滅菌しておく。
【００４１】
前記製袋工程は、表面側フィルム２と裏面側フィルム３の外周縁の一部を充填口（図示せず）として前記充填口以外のシール部６をシールする充填口形成工程と、前記充填口から内容物を充填する内容物充填工程と、内容物を充填した後に前記充填口をシールし密封する充填口シール工程と、を含む。
【００４２】
最後に、必要に応じて切れ目線８や吊下げ孔９を形成し、チャック付き包装袋１の製造が完了する。なお、前記チャック部材折り曲げ工程と、前記チャック部材接着工程と、前記滅菌処理工程と、前記製袋工程を含む上述の全工程はクリーンルームやクリーンブース等の無菌雰囲気内にて行われる。また、過酸化水素による滅菌や過酸化水素の除去は、無菌雰囲気内においてさらに囲われたゾーンを儲け、他の工程に過酸化水素が拡散しないようにして行う。
【００４３】
以下に、本実施形態のチャック付き包装袋１の一使用例について説明する。
【００４４】
チャック付き包装袋１の使用に際して、例えば希釈液などを内容物に追加する場合には、はじめに、ノッチ７から開封予定線５に沿って切れ目線８まで切り裂く。ここで、開封予定線５と重なるチャック部材４の連接部４２には、開封予定線５の長手方向に延びる凹部４４が形成されている。このため、連接部４２を表面側フィルム２及び裏面側フィルム３と共に開封予定線５において簡単に切り裂くことができる。
【００４５】
次に、開封予定線５と切れ目線８とで囲まれた部分を切り取ることによりチャック付き包装袋１を開封する。開封した状態では、チャック部材４の嵌合部４０が、開口側に露出する。
【００４６】
次いで、嵌合部４０の嵌め合い状態を解除すると共に、チャック部材４の第一取付基部４１１の延長部４３の先端部を裏面側フィルム３のシーラント層３２から剥がすことにより、チャック付き包装袋１を開口する。
【００４７】
その後、前記開口を通じて内容物に希釈液などを追加し、嵌合部４０を嵌め合せて再封止する。これにより、チャック付き包装袋１の内容物が外部に対して密閉される。密閉後は、例えば、内容物と追加された希釈液などとを良く混ぜ合わせてもよい。
【００４８】
また、チャック付き包装袋１の使用に際して、内容物を患者の胃や腸に投与する場合には、例えば、口栓部材１０にチューブなどを接続し、吊下げ孔９をフック等に引っ掛けてチャック付き包装袋１を吊下げた上で、患者に内容物（例えば流動食）を投与する。
【００４９】
このように、本発明によれば、チャック部材４を嵌合部４０を内方に折り曲げてチャック部材４の両側端を同一面に接着し、その後滅菌処理する、という簡素な構造及び工程とすることにより、滅菌に用いた過酸化水素がチャック部材中に残留することを安価に防止することが可能となる。
【符号の説明】
【００５０】
１・・・チャック付き包装袋
２・・・表面側フィルム
２１・・・基材層
２２・・・シーラント層
３・・・裏面側フィルム
３１・・・基材層
３２・・・シーラント層
４・・・チャック部材
４０・・・嵌合部
４０１・・・雄部材
４０２・・・雌部材
４１・・・取付基部
４１１・・・第一取付基部
４１２・・・第二取付基部
４２・・・連接部
４３・・・延長部
４４・・・凹部
４５・・・易剥離部
５・・・開封予定線
６・・・シール部
６０・・・上方シール部
６１・・・幅広シール部
６２・・・上方外周縁シール部
７・・・ノッチ
８・・・切れ目線
９・・・吊下げ孔
１０・・・口栓部材
【図１】
2017218173.tif 000003
【図２】
2017218173.tif 000004
【図３】
2017218173.tif 000005